(57)【要約】【課題】既にクロスカラーが載っているコンポーネント信号に対して、クロスカラーを検出しそれを除去する。【解決手段】動き判定部１００で静止と判定された画素について、色信号減算部１０１で前フィールドと色信号を比較することによりクロスカラーを検出し、同画素について色信号を時間軸方向（前フレームと現フレーム）でフィルター処理することによりクロスカラーを除去する。【選択図】　図１
2004040291.tif 000002
【特許請求の範囲】
【請求項１】
テレビジョンシステムであって、輝度信号により各画素の動きを判定する動き検出部と、各画素について現フレームの色信号と前フレームの色信号を減算する色信号減算部と、前記動き検出部により静止と判定された画素について前記色信号減算部の結果に基づいてクロスカラーが発生しているかどうかを判定するクロスカラー判定部と、現フレームの色信号と前フレームの色信号によりローパスフィルターをかけるＬＰＦ部と、前記クロスカラー判定部により色信号出力を前記ＬＰＦ部の色信号にするか入力された色信号にするかを切り替える色信号切換部を備えることを特徴とするクロスカラー除去装置。
【請求項２】
前フレームにおけるクロスカラー判定部による判定結果を格納する判定結果蓄積部を追加し、前記判定結果蓄積部に格納された前フレームでのクロスカラー判定結果と現フレームでのクロスカラー判定結果に基づいてクロスカラーの発生を判定するクロスカラー判定部を備えたことを特徴とする請求項１記載のクロスカラー除去装置。
【請求項３】
前記ＬＰＦ部の代りに、動き検出部で検出した動き情報から現フレームと前フレームの色信号によるローパスフィルターのフィルタ係数を変更する動き適応フィルタ部を有し、クロスカラー判定部における動き検出部からの動き判定を静止だけでなく微小な動きについてもクロスカラーを判定することを特徴とする請求項１記載のクロスカラー除去装置。
【発明の詳細な説明】
【０００１】
【発明の属する技術分野】
本発明は、テレビジョンにおける受像機などの輝度信号・色信号出力回路に関するものである。
【０００２】
【従来の技術】
従来、テレビジョンにおいて輝度信号と色信号が混合されたコンポジット信号から輝度信号と色信号に分離しコンポーネント信号に変換するためのＹ／Ｃ分離に関する技術は数多く報告されている。
【０００３】
【発明が解決しようとする課題】
しかしながら、報告のほとんどがコンポーネント信号に変換する前にクロスカラーなどの発生を抑えることを目的としており、２次元ＹＣ分離などの簡単なＹＣ分離によりクロスカラーが既に発生しているコンポーネント信号についてはその対策を言及していない。
【０００４】
【課題を解決するための手段】
前記課題を解決するために、本発明のクロスカラー除去装置では、クロスカラーは色信号に輝度信号の高域成分がフレーム間で逆位相で混合し特に、斜め線の静止部分で多く発生するという特徴から、輝度信号により各画素の動きを判定する動き検出部と、各画素について現フレームの色信号と前フレームの色信号を減算する色信号減算部と、前記動き検出部により静止と判定された画素について前記色信号減算部の結果に基づいてクロスカラーが発生しているかどうかを判定するクロスカラー判定部と、現フレームの色信号と前フレームの色信号によりローパスフィルターをかけるＬＰＦ部と、前記クロスカラー判定部により色信号出力を前記ＬＰＦ部の色信号にするか入力された色信号にするかを切り替える色信号切換部を備えることにより、コンポーネント信号で検出したクロスカラーを除去することができる。
【０００５】
また、前フレームにおけるクロスカラー判定部による判定結果を格納する判定結果蓄積部を追加し、前記判定結果蓄積部に格納された前フレームでのクロスカラー判定結果と現フレームでのクロスカラー判定結果に基づいてクロスカラーの発生を判定するクロスカラー判定部を備えることにより、静止から動画へ移行する直後までクロスカラーを除去することができる。
【０００６】
また、ＬＰＦ部の代りに動き検出部で検出した動き情報から現フレームと前フレームの色信号によるローパスフィルターのフィルタ係数を変更する動き適応フィルタ部を追加し、クロスカラー判定部における動き検出部からの動き判定を静止だけでなく微小な動きについてもクロスカラーを判定することにより、静止画だけでなく動きが少ない映像で発生するクロスカラーを除去することができる。
【０００７】
【発明の実施の形態】
（実施の形態１）
以下に、本発明の請求項１に記載された発明の実施形態について、図１を用いて説明する。
【０００８】
図１において、１００は輝度信号から各画素の動きを判定する動き検出部である。１０１は１フレーム前の色信号と現フレームでの色信号との差分をとる色信号減算部である。１０２は動き検出部１００での動き判定結果と色信号減算部１０１の結果から各画素にクロスカラーが発生しているかどうかを判定するクロスカラー判定部である。１０３は現フレームの色信号と前フレームの色信号の平均値を求めるＬＰＦ部である。１０４は色信号の出力として現フレームの色信号かＬＰＦ部１０３で求めた色信号の平均値かをクロスカラー判定部１０２の判定に基づいて選択する色信号切換部である。
【０００９】
かかる構成によれば、動き検出部１００において静止と判断された画素についてクロスカラーが発生していない場合は、前フレームと現フレームでの色信号は同じ値となり、色信号減算部１０１での結果は０となる。よってクロスカラー判定部１０２は色信号切換部１０４に現フレームの色信号を選択するように指示しその結果、現フレームの色信号が出力される。逆にクロスカラーが発生している場合、前フレームと現フレームの色信号は異なるため色信号減算部１０１での結果は０とならない。したがって、クロスカラー判定部１０２は色信号切換部１０４にＬＰＦ部１０３で算出した色信号を出力するように指示しその結果、現フレームと前フレームの色信号の平均値が色信号として出力される。また、動き検出部１００が動画と判断した画素については、クロスカラー判定部１０３は色信号減算部１０１の結果にかかわらず現フレームの色信号を選択するように色信号切換部１０４に指示しその結果、現フレームの色信号が出力される。
【００１０】
このように本実施例１では、クロスカラー判定部１０２で静止画素のクロスカラーを検出し、ＬＰＦ部１０１で現フレームの色信号と前フレームの色信号の平均値を出力することによりクロスカラーの原因となる色信号の高域成分がカットされるためクロスカラーを除去することができる。
【００１１】
（実施の形態２）
以下に、本発明の請求項２に記載された発明の実施形態について、図２を用いて説明する。
【００１２】
図２において、２００〜２０４はそれぞれ実施の形態１の１００〜１０４と同様である。２０５はクロスカラー判定部２０２で判定した結果を１フレーム期間格納する判定結果累計部である。
【００１３】
かかる構成によれば、実施の形態１と同様にクロスカラー判定部でクロスカラーを判定し色信号の出力として、現フィールドの色信号かＬＰＦ部２０３で生成した色信号のいずれかを選択する。ここで、クロスカラー判定部２０２は動き検出部２００の判定が静止であり色信号減算部２０１が０でない画素についてクロスカラーであると判定すると同時に判定結果累計部２０５に例えば３を格納する。そして次のフレームにおいて同画素について動き検出部２００が動画と判定した場合、クロスカラー判定部２０２は判定結果累積部２０５に格納された同画素に対応する値を取り出し、その値が０でない場合強制的にクロスカラーと判断し同時に判定結果累積部２０５から取得した値から１減じた値を判定結果累積部２０５に格納する。
【００１４】
このように本実施の形態２では、判定結果累計部２０５に巡回係数を格納することによりクロスカラー判定部２０２でクロスカラーと判定された画素が以降のフレームで動画となっても数フレーム間はクロスカラーを除去することができる。
【００１５】
（実施の形態３）
以下に、本発明の請求項３に記載された発明の実施形態について、図３を用いて説明する。
【００１６】
図３において、３００〜３０２および３０４は実施例１の１００〜１０２および１０４と同様である。３０３は動き検出部３００の動き判定に基づいて現フィールドと前フィールドの色信号にフィルタをかけるフィルタ係数を変更する動き適応フィルタ部である。
【００１７】
かかる構成によれば、動き検出部３００での動き判定が０の時は静止、１の時はゆっくりとした動画、２の時は動画と区別した場合、動き適応フィルタ３０３での色信号の算出をそれぞれ、（Ｃ０＋Ｃ１）／２、Ｃ０−（Ｃ０−Ｃ１）／４、Ｃ０とする。ここでＣ０は現フレームでの入力色信号、Ｃ１は前フレームでの入力色信号とする。また、クロスカラー判定部３０２は動き検出部３００の結果が静止またはゆっくりとした動画でありかつ、色信号減算部３０１の結果が例えば１０／２５５以下であった場合、クロスカラーと判定し動き適応フィルタ部３０３の結果を色信号として出力する。
【００１８】
このように本実施の形態３では、動き適応フィルタ３０３により静止画だけでなく微小な動きに発生するクロスカラーについても除去することができる。
【００１９】
ここで、実施の形態１〜３において色信号減算部１０１、２０１、３０１は画素どうしの減算としたが、それぞれあるフィルタをかけた後の減算としてもよい。また、実施例３において動き適応フィルタ部３０３の動き検出部３００の動き判定結果に基づくフィルタは、他のフィルタであってもよい。
【００２０】
【発明の効果】
以上のように本発明によれば、クロスカラーを検出しそれを除去するだけでなく、フレーム間で色信号のローパスフィルタをかけるため、色信号のノイズリダクション効果もある。
【図面の簡単な説明】
【図１】本発明の実施の形態１におけるクロスカラー除去装置の構成図
【図２】本発明の実施の形態２におけるクロスカラー除去装置の構成図
【図３】本発明の実施の形態３におけるクロスカラー除去装置の構成図
【符号の説明】
１００　動き検出部
１０１　色信号減算部
１０２　クロスカラー判定部
１０３　ＬＰＦ部
１０４　色信号切換部
【図１】
2004040291.tif 000003
【図２】
2004040291.tif 000004
【図３】
2004040291.tif 000005